Podtech/llm-jp-corpus-v4-ja_patent huggingface dataset:
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
メッシュプロステーゼの境界領域に隣接して第２のメッシュ層に貼り付けられた第１のメッシュ層と、前記第１のメッシュ層と前記第２のメッシュ層との間に定義され、前記境界領域から内側に延在するエンクロージャと、前記第１のメッシュ層において前記第１のメッシュ層を前記エンクロージャまで貫通する開口と、前記エンクロージャの内部にガイドポケットを定義する固定ガイドテンプレートと、を有するメッシュプロステーゼと、
前記エンクロージャの内部に取り外し可能に配置され、前記境界領域に向けて延在し、前記メッシュプロステーゼを非デプロイ構成からデプロイ構成に促すための弾性デプロイメント力を生成する伸縮性を有する弾性デプロイメント構造と、
前記弾性デプロイメント構造の境界から外側に延在し、前記弾性デプロイメント構造と前記メッシュプロステーゼとの間の相対回転運動を妨げるように前記ガイドポケットの内部に係合されたシールド突起と、
を含む
ことを特徴とする医療デバイス。
【請求項２】
請求項１に記載の医療デバイスと、
固定ツールと、
を含み、
前記シールド突起は、前記固定ツールが患者の組織に前記第１のメッシュ層を貼り付ける固定プロセス中であって前記固定ツールが前記エンクロージャに挿入される時に、前記固定ツールから前記第２のメッシュ層のための防護壁を形成する
ことを特徴とするシステム。
【請求項３】
前記固定ツールは、タッカガンである
請求項２に記載のシステム。
【請求項４】
前記弾性デプロイメント構造から延在する複数の前記シールド突起と、
前記固定ガイドテンプレートによって定義された複数の前記ガイドポケットと、
を含み、
前記シールド突起の夫々は、前記ガイドポケットの対応する１つの内部に係合される
請求項１に記載の医療デバイス。
【請求項５】
前記弾性デプロイメント構造は、前記弾性デプロイメント構造に配置され、前記弾性デプロイメント構造の中央部から概ね蛇行形状に前記境界に延在するセパレーションラインを更に含む
請求項１に記載の医療デバイス。
【請求項６】
前記セパレーションラインは、１つ以上のスルーホールを含む
請求項５に記載の医療デバイス。
【請求項７】
前記セパレーションラインは、前記弾性デプロイメント構造に対して少なくとも部分的に切り込みを入れられた連続溝を含む
請求項５に記載の医療デバイス。
【請求項８】
前記セパレーションラインの端に配置されたスルーカットを更に含む
請求項５に記載の医療デバイス。
【請求項９】
前記医療デバイスのための位置調整ツールとして配置された第１のアームと、
前記弾性デプロイメント構造のための取り外しツールとして配置された第２のアームと、
を更に含み、
前記第１のアームに印加された引張力によって前記セパレーションラインに沿った切り離しが開始され、
前記第２のアームに印加された引張力によって前記セパレーションラインに沿った切り離しが開始されない
請求項５に記載の医療デバイス。
【請求項１０】
ハンドルアセンブリの第１のアームと第２のアームとを更に含み、
前記第１のアームと前記第２のアームは、前記ハンドルアセンブリを前記医療デバイスのための位置調整ツールとして定義するロック構成とし、前記ハンドルアセンブリを前記弾性デプロイメント構造のための取り外しツールとして定義するアンロック構成とするように適応される
請求項５に記載の医療デバイス。
【請求項１１】
前記ハンドルアセンブリが前記アンロック構成にある時は、前記第１のアームに印加された引張力によって前記セパレーションラインに沿った切り離しが開始され、
前記第２のアームは、前記第２のアームに印加された引張力によって前記セパレーションラインに沿った切り離しが開始されないように構成されると共に配置される
請求項１０に記載の医療デバイス。
【請求項１２】
前記セパレーションラインに沿った切り離しは、前記境界によって形成されたリングを終端とする
請求項５に記載の医療デバイス。
【請求項１３】
前記弾性デプロイメント構造に連結され、位置調整ツールと取り外しツールの両方として構成されるツールを更に含む
請求項１に記載の医療デバイス。
【請求項１４】
前記境界の近辺に相互に同等の間隔距離をもって配置された複数の前記シールド突起を含む
請求項１に記載の医療デバイス。
【請求項１５】
前記シールド突起は、概ね矩形状を有する
請求項１に記載の医療デバイス。
【請求項１６】
前記ガイドポケットは、概ね矩形状を有する
請求項１に記載の医療デバイス。
【請求項１７】
前記ガイドポケットは、前記第２のメッシュ層に前記第１のメッシュ層を貼り付けることによって形成された複数の壁によって定義され、
前記複数の壁は、前記第２のメッシュ層に前記第１のメッシュ層を連結する、ステッチ、接合、接着、又はその組み合わせによって形成される
請求項１に記載の医療デバイス。
【請求項１８】
前記メッシュプロステーゼに配置された塗料を更に含み、
前記塗料は、エステル結合によって実質的に無作為の構造に架橋されたω−３脂肪酸を有する生吸収可能架橋材料を含む
請求項１に記載の医療デバイス。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
手術中に、患者の骨格構造に関連する組織構造の位置を確認するコンピュータ実装方法であって、
人体の部位の周辺で、患者の骨格構造の術前画像データを取得し、 
処置中に組織を露出した後、偏光感応光コヒーレンストモグラフィ（PS-OCT）を使用して、骨格構造の周辺で、組織の選択された領域をスキャンすることによって処置中のデータを取得し、
術中（PS-OCT）画像データから骨格構造の周辺にある構造組織に類似する組織の領域識別し、
構造を示す組織の領域に関する先験的な既知の解剖学的情報を用いて、人体の部位の近傍に骨格構造の術前画像データと術中（PS-OCT）画像データは幾何学的に相関され、登録されることを備える、方法。
【請求項２】
人体の部位の周辺にある骨格構造の術前画像データはコンピュータ断層撮影（CT）、磁気共鳴画像（MRI）、光コヒーレンストモグラフィ(OCT)のいずれかを用いて取得する、請求項１に記載の方法。
【請求項３】
前記磁気共鳴画像はT1磁気共鳴画像（MRI T1）である、請求項2に記載の方法。 
【請求項４】
構造組織を示す組織は、靭帯、腱、筋肉、軟骨、結合膜、神経、網膜、血管壁、いくつかの骨構造、気管、食道、舌、歯及び他の結合組織を含む、請求項１〜３のいずれか一項に記載の方法。 
【請求項５】
構造情報を示す組織の領域についての先験的な解剖学的情報は、骨格上のランドマーク位置に骨格構造の相対的に構造情報を示す組織の付着点を含む、請求項1〜4のいずれかに記載の方法。
【請求項６】
a) 医療処置中に患者の骨格構造に関連する編成組織構造の位置を確認する方法であって：
医療処置を受けている人体の部位の周辺で、患者の骨格構造の術前画像データを取得し、
医療処置を受ける人体の部位に骨格構造の周辺で、選択された組織の領域を偏光感応光コヒーレンストモグラフィでスキャンによって術中画像データを取得し、
術中（PS-OCT）画像データから、骨格構造の周辺の構造組織を示す組織の領域を識別し、
構造を示す組織の領域に関する先験的な既知の解剖学的情報を用いて、人体の部位の近傍に骨格構造の術前画像データと術中（PS-OCT）画像データを幾何学的に相関して登録し、
そして
ｂ）登録された手術（PS-OCT）画像データと人体の部位の近傍の骨格構造の術前画像データを用いて、選択された構造情報を示す組織の領域を避けるために、外科用軌道を計画することを含む、方法。
【請求項７】
医療処置を受けている人体の部位の周辺にある骨格構造の術前画像データは、コンピュータ断層撮影（CT）、磁気共鳴画像（MRI）、光コヒーレンストモグラフィ(OCT)のいずれかによって取得する、請求項6に記載の方法。
【請求項８】
前記磁気共鳴画像は、T1磁気共鳴画像（MRI T1）である、請求項7に記載の方法。 
【請求項９】
構造組織を示す組織は、靭帯、腱、筋肉、軟骨、結合膜、神経、網膜、血管壁、いくつかの骨構造、気管、食道、舌、歯及び他の結合組織を含む、請求項6〜８のいずれかに記載の方法。
【請求項１０】
構造情報を示す組織の領域についての先験的な解剖学的情報は、骨格上のランドマーク位置に骨格構造の相対的に構造情報を示す組織の付着点を含む、請求項6?9のいずれかに記載の方法。 
【請求項１１】
手術中、患者の骨格構造に関連して組織構造の位置を確認するコンピュータシステムは、
手術中選択された組織の領域の画像データを取得するために、選択された領域をスキャンする偏光感応光コヒーレンストモグラフィ（PS-OCT）装置と、
メモリ記憶装置を有するコンピュータ・プロセッサと、そのコンピュータ・プロセッサに接続されている前記偏光感応光コヒーレンストモグラフィ（PS-OCT）装置と、前記メモリ記憶装置は人体の部位の近傍で患者の骨格構造をその中に手術前の画像データを有し、先験的な構造情報を示す組織の領域に関する解剖学的情報を有し、
前記コンピュータ・プロセッサは、
a) 術中（PS-OCT）画像データから骨格構造の近傍に構造組織を示す組織の領域を特定し、
b）記憶に保存した構造を示す組織の領域に関する先験的な既知の解剖学的なデータを用いて、人体の部位の近傍に骨格構造の術前画像データと術中（PS-OCT）画像データは幾何学的に相関して登録する命令でプログラムされている、ことを含むシステム。
【請求項１２】
手術中に、表面組織の下に位置する血管系の構造の位置を確認するコンピュータ実装方法は、
コントラストベース磁気共鳴画像を用いて医療処置を受けている人体の部位を撮像し、組織内の血管構造を識別することと、
医療処置を受けている人体の部位の組織の選択された領域をハイパースペクトルイメージングによるスキャンし術中画像データを取得することと、
術中ハイパースペクトル画像データから、選択された領域における局所血管構造を識別することと、
そして選択されたローカル領域とローカル血管構造を同定し、血管構造に一致する位置、幾何学的に相関すると登録時にローカルの血管構造に一致するグローバルな血管構造の部分の位置を特定するためのグローバル血管画像データを検索することを含む方法。
【請求項１３】
造影剤は、ガドリニウム造影剤である、請求項１２に記載の方法。
【請求項１４】
方法は、
コントラストベース磁気共鳴画像を用いて、医療処置を受けている人体の部位の組織の術前の画像データを取得し、画像データから全体的な血管構造の組織を識別することと、
医療処置を受けている人体の部位の組織の選択された領域をハイパースペクトルイメージングによるスキャンし術中画像データを取得することと、術中ハイパースペクトル画像データから、選択された組織の領域における局所血管構造を識別することと、 
選択されたローカル領域とローカル血管構造を同定し、グローバル血管構造に一致する位置、幾何学的に相関すると登録時にローカルの血管構造に一致するグローバルな血管構造の部分の位置を特定するためのグローバル血管画像データを検索すること、
そして
登録されたハイパースペクトル画像データと人体の部位の近傍の血管構造の術前画像データを用いて、選択された構造情報を示す組織の領域を避けるために、外科用軌道を計画することを含む方法。
【請求項１５】
手術中に、表面組織の下に位置する血管系の構造の位置を確認するコンピュータ実装方法は、
手術中選択された組織の領域の画像データを取得するために、選択された領域をスキャンするハイパースペクトル画像装置と、
メモリ記憶装置を有するコンピュータ・プロセッサと、そのコンピュータ・プロセッサに接続されている前記ハイパースペクトル画像装置と、前記メモリ記憶装置は人体の部位の近傍で患者の骨格構造をその中に手術前の画像データを有し、先験的な構造情報を示す組織の領域に関する解剖学的情報を有し、
前記コンピュータ・プロセッサは、
術中画像データから骨格構造の近傍に血管組織を示す組織の領域を特定し、
選択されたローカル領域とローカル血管構造を同定し、グローバル血管構造に一致する位置、幾何学的に相関すると登録時にローカルの血管構造に一致するグローバルな血管構造の部分の位置を特定するためのグローバル血管画像データを検索することを含むシステム。
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
プライマー組成物であって：
（ａ）有機官能性シラン部分で表面修飾された酸化セリウムナノ粒子であって、前記有機官能性シラン部分が式ＩまたはＩＩの構造を有し：
【化１０】
2017508014.tif 000001
【化１１】
2017508014.tif 000002
ここで式（Ｉ）において、Ｒ１が
【化１２】
2017508014.tif 000003
であり、またはＲ１は官能基含有部分であり；Ｒの各々は１から１２の炭素原子を有するアルキル基であり；Ｒ２及びＲ５の各々は独立して、１から４の炭素原子を有するアルキル基又は−ＣＯ−ＣＨ３であり；Ｒ３、Ｒ４及びＲ６の各々は独立して水素又はメチルであり；そしてｘ、ｙ及びｚの各々は１〜５０から独立して選択される整数である、金属酸化物ナノ粒子；
（ｂ）ポリメチルメタクリレート、ポリウレタン、ポリカーボネート、ウレタンヘキサアクリレート、ペンタエリスリトールトリアクリレート、ポリビニルピロリドン、ポリビニルブチラール、ポリ（エチレンテレフタレート）、及びポリ（ブチレンテレフタレート）からなる群より選択される有機ポリマー；及び
（ｃ）１又はより多くの溶媒を含む、プライマー組成物。
【請求項２】
前記Ｒ１の官能基含有部分が、アミノ、カルバメート、ビニル、アミド、エステル、カルボキシレート、及びこれらの組み合わせから選択される、請求項１のプライマー組成物。
【請求項３】
前記官能基が、−ＣＨ２ＣＨ２ＣＨ２ＮＨＣＨ２ＣＨ２ＮＨ２、−ＣＨ２ＣＨ２ＣＨ２ＮＨＣ（Ｏ）ＯＭｅ、−ＣＨ２ＣＨ２ＣＨ２ＮＨＣ（Ｏ）ＯＥｔ、−ＣＨ＝ＣＨ２、−Ｃ（ＣＨ３）＝ＣＨ２、（ＭｅＯ）ａ（ＥｔＯ）３−ａＳｉＣＨ２ＣＨ２ＮＨＣ（Ｏ）Ｃ（ＣＨ３）＝ＣＨ２、［ＣＨ３Ｃ（Ｏ）Ｏ］３ＳｉＣＨ２ＣＨ２ＣＨ２ＯＣ（Ｏ）Ｃ（Ｍｅ）＝ＣＨ２、（ｉ−ＰｒＯ）３ＳｉＣＨ２ＣＨ２ＣＨ２ＯＣ（Ｏ）Ｃ（Ｍｅ）＝ＣＨ２、（ＣＨ３ＯＣＨ２ＣＨ２Ｏ）３ＳｉＣＨ＝ＣＨ２、（ＭｅＯ）３ＳｉＣＨ２ＣＨ２ＣＨ２ＮＨＣＨ２ＣＨ２ＮＨＣＨ２ＣＨ２Ｃ（Ｏ）ＯＭｅ、（ｉ−ＰｒＯ）３ＳｉＣＨ２ＣＨ２ＣＨ２ＯＣ（Ｏ）Ｃ（Ｍｅ）＝ＣＨ２、（ＭｅＯ）３Ｓｉ（ＣＨ２）３ＮＨＣＨ２ＣＨ２ＮＨ（ＣＨ２）３Ｓｉ（ＯＭｅ）３、（ＥｔＯ）３ＳｉＣＨ２ＣＨ２ＣＨ２ＯＣ（Ｏ）Ｃ（Ｍｅ）＝ＣＨ２、及びこれらの組み合わせから選択される、請求項２のプライマー組成物。
【請求項４】
ｘ、ｙ及びｚが独立して、１から２５の整数である、請求項１のプライマー組成物。
【請求項５】
ｘ、ｙ及びｚが独立して、２から１５の整数である、請求項１のプライマー組成物。
【請求項６】
前記有機官能性シラン部分が、２−メトキシ（ポリエチレンオキシ）９−１２プロピルトリメトキシシラン、γ−メタクリロキシプロピルトリメトキシシラン、２−［（アセトキシ（ポリエチレンオキシ）プロピル］−トリエトキシシラン、トリプロピレングリコールプロピルエーテルカルバメートシラン、ビス（３−トリエトキシシリルプロピル）ポリエチレンオキサイド、トリエチレングリコールモノブチルエーテルカルバメートシラン、メチルトリメトキシシラン、アミノシラン、エポキシ官能化シラン、イソシアネートシラン、アルデヒド含有シラン、メルカプトシラン、ヒドロキシ末端シラン、アクリレートシラン、Ｎ−ベータ−（アミノエチル）−ガンマ−アミノプロピルトリメトキシシラン、Ｎ−（２−アミノエチル）−３−アミノプロピルメチル−ジメトキシシラン、ジアミノ−アルコキシシラン、Ｎ−（２−アミノエチル）−３−アミノプロピルメチルジメトキシシラン［メトキシ（ポリエチレンオキシ）プロピル］−トリメトキシシラン［メトキシ（ポリエチレンオキシ）プロピル］−ジメトキシシラン、［メトキシ（ポリエチレンオキシ）プロピル］−モノメトキシシラン、及びこれらの組み合わせからなる群より選択される、請求項１のプライマー組成物。
【請求項７】
前記有機ポリマーがポリメチルメタクリレートである、請求項１のプライマー組成物。
【請求項８】
前記溶媒が、１−メトキシ−２−プロパノール、ジアセトンアルコール、アセチルアセトン、シクロヘキサノン、メトキシプロピルアセテート、ケトン、グリコールエーテル、芳香族炭化水素、飽和炭化水素、及びこれらの混合物からなる群より選択される、請求項１のプライマー組成物。
【請求項９】
プライマー組成物の合計重量を基準として、水を０．１から４ｗｔ％の量でさらに含む、請求項１のプライマー組成物。
【請求項１０】
前記水が、プライマー組成物の合計重量を基準として２ｗｔ％未満の量で存在する、請求項９のプライマー組成物。
【請求項１１】
組成物中の金属酸化物に対する水の重量比が０．０１から０．０８である、請求項９のプライマー組成物。
【請求項１２】
前記シラン部分が金属酸化物ナノ粒子の合計重量を基準として約０．１から約５０ｗｔ％を構成し、前記溶媒が組成物の合計重量を基準として約８０から約９９ｗｔ％を構成し、そして前記有機官能性シラン部分で表面修飾された金属酸化物ナノ粒子が組成物の合計重量を基準として約０．１から約１０ｗｔ％を構成する、請求項９のプライマー組成物。
【請求項１３】
基板上のプライマーフィルムであって：
（ａ）約０．１から約５０ｗｔ％の有機官能性シラン部分で表面修飾された金属酸化物ナノ粒子であって、前記有機官能性シラン部分が式ＩまたはＩＩの構成を有し：
【化１３】
2017508014.tif 000004
【化１４】
2017508014.tif 000005
ここで式（Ｉ）において、Ｒ１が
【化１５】
2017508014.tif 000006
であり、またはＲ１は官能基含有部分であり；Ｒの各々は１から１２の炭素原子を有するアルキル基であり；Ｒ２及びＲ５の各々は独立して、１から４の炭素原子を有するアルキル基又は−ＣＯ−ＣＨ３であり；Ｒ３、Ｒ４及びＲ６の各々は独立して水素又はメチルであり；ｘ、ｙ及びｚの各々は１〜５０から独立して選択される整数である、金属酸化物ナノ粒子；及び
（ｂ）約５０から約９９ｗｔ％のポリメチルメタクリレート、ポリウレタン、ポリカーボネート、ウレタンヘキサアクリレート、ペンタエリスリトールトリアクリレート、ポリビニルピロリドン、ポリビニルブチラール、ポリ（エチレンテレフタレート）、及びポリ（ブチレンテレフタレート）からなる群より選択される有機ポリマーを含み、前記重量パーセントがフィルムの合計重量を基準とする、プライマーフィルム。
【請求項１４】
請求項１のプライマー組成物で塗工された基板。
【請求項１５】
前記基板がポリカーボネート又はポリアクリレートを含む、請求項１４の基板。
【請求項１６】
請求項１３のプライマーフィルムで被覆された基板。
【請求項１７】
前記基板がポリカーボネート又はポリアクリレートを含む、請求項１６の基板。
【請求項１８】
請求項１３のプライマーフィルムで被覆され、シリコーンハードコートでオーバーコートされた基板を含む物品。
【請求項１９】
請求項１のプライマー組成物を基板に適用し、１又はより多くの溶媒を除去することを含む、被覆された物品の調製方法。
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
下記成分
−構成要素
(A-i)アルカリ金属ケイ酸塩又は2種以上のアルカリ金属ケイ酸塩の混合物であって、前記アルカリ金属ケイ酸塩又は複数のアルカリ金属ケイ酸塩中の二酸化ケイ素対アルカリ金属酸化物のモル比が2〜5の範囲のもの、及び
(A-ii)水
を含んでなる成分(A)
並びに
−構成要素
(B-i)炭酸の環状エステル、γ-ブチロラクトン、及び多価アルコールのカルボン酸エステルから成る群より選択される化合物、又はこれらの化合物の2種以上の混合物及び
(B-iii)1種以上のゼオライトであって、構成要素(B-iii)の質量分率が、成分(B)の総質量に基づいて40wt%以下であるゼオライト
を含んでなる成分(B)
を含むか又はそれらから成り、
−成分(A)の全てのアルカリ金属ケイ酸塩(A-i)の総質量
対
−成分(B)の構成要素(B-i)の総質量
の比が、2:1〜8:1の範囲にある、
二成分系であって、
成分(A)の構成要素が成分(B)の構成要素と反応できないように、成分(A)及び成分(B)が配置されている、前記二成分系。
【請求項２】
成分(B)が、さらなる構成要素として
(B-ii)ヒュームドシリカ、沈降シリカ、シリカヒューム、及びその混合物から成る群より選択される非晶質二酸化ケイ素であって、構成要素(B-ii)の質量分率が、成分(B)の総質量に基づいて20wt%以下である非晶質二酸化ケイ素、
を含む、請求項1に記載の二成分系。
【請求項３】
成分(B)中の
−構成要素(B-i)の総質量
対
−非晶質二酸化ケイ素(B-ii)の総質量
の比が、2:1〜20:1の範囲にある、請求項2に記載の二成分系。
【請求項４】
成分(B)中、
構成要素(B-i)の1種、2種以上、又は全ての化合物が、炭酸エチレン、炭酸プロピレン、炭酸ブチレン、並びにエチレングリコール、ジエチレングリコール、トリエチレングリコール、及びグリセロールから成る群から選択される多価アルコールのカルボン酸エステルから成る群より選択される、請求項1〜3のいずれか1項に記載の二成分系。
【請求項５】
成分(A)中、
存在するアルカリ金属ケイ酸塩(A-i)の1種、2種以上、又は全てが、ケイ酸ナトリウム、ケイ酸カリウム、及びその混合物から成る群より選択される、請求項1〜4のいずれか1項に記載の二成分系。
【請求項６】
成分(A)が、さらなる構成要素として
(A-iii)アルミノケイ酸塩、結晶形の二酸化ケイ素、及び酸化マグネシウム、酸化カルシウム、酸化クロム、酸化ジルコニウム、酸化アルミニウム、ケイ酸ジルコニウム、亜クロム酸塩、マグネサイト、並びにその混合物から成る群より選択される1種以上の充填材
を含む、請求項1〜5のいずれか1項に記載の二成分系。
【請求項７】
成分(A)中の
(A-i)全てのアルカリ金属ケイ酸塩の総質量
対
(A-iii)充填材の総質量
の比が、1:1〜1:2の範囲にある、請求項6に記載の二成分系。
【請求項８】
−成分Aの全てのアルカリ金属ケイ酸塩(A-i)の総質量
対
−成分Bの構成要素(B-ii)の総質量
の比が、10:1〜70:1の範囲にある、請求項1〜7のいずれか1項に記載の二成分系。
【請求項９】
成分(A)が、さらなる構成要素として
(A-iv)1種以上の界面活性剤
及び／又は
(A-v)1種以上の鉱物油
を含む、請求項1〜8のいずれか1項に記載の二成分系。
【請求項１０】
構成要素
(A-iv)1種以上の界面活性剤及び
(A-v)1種以上の鉱物油
の質量分率の合計が、成分(A)の総質量に基づいて2wt%以下である、請求項9に記載の二成分系。
【請求項１１】
二成分系の成分(A)及び成分(B)中の有機的に結合した炭素の総量が、成分(A)及び成分(B)の総質量に基づいて、6wt%以下である、請求項1〜10のいずれか1項に記載の二成分系。
【請求項１２】
成分(A)と成分(B)を混合することによって形成される混合物が2分〜1時間の範囲のポットライフを有するように、成分(A)と成分(B)が、それらの組成及びそれらの質量比の点で互いに調和している、請求項1〜11のいずれか1項に記載の二成分系。
【請求項１３】
接着剤を生成するためのキットであって、
−請求項1〜12のいずれか1項に記載の二成分系
−この二成分系の成分(A)と成分(B)を混合するための静的混合装置
を含んでなるキット。
【請求項１４】
静的混合装置が、結合場所に接着剤を塗布するための装置の一部である、請求項13に記載のキット。
【請求項１５】
結合すべき物品間に接着結合を生成するための、請求項13及び14のいずれか1項に記載のキットの使用。
【請求項１６】
前記接着結合によって結合すべき物品が、前記結合場所に、セラミック材料の群、さらに特に酸化物及びケイ酸塩から成る群より選択される1種以上の無機材料を含む、請求項15に記載の使用。
【請求項１７】
前記接着結合によって結合すべき物品が、鋳型の一部がそれぞれ、1種以上のアルカリ金属ケイ酸塩を硬化させることによって形成される結着剤により結着される型基材を含む、請求項15又は16に記載の使用。
【請求項１８】
接着剤を生成するための静的混合装置の使用であって、前記静的混合装置内で、請求項1〜12のいずれか1項に記載の二成分系の成分(A)と成分(B)を混合することによって前記接着剤を生成する、前記使用。
【請求項１９】
接着剤の生成方法であって、下記工程
−請求項1〜12のいずれか1項に記載の二成分系の成分(A)と成分(B)を、混合する工程
を含んでなる方法。
【請求項２０】
結合すべき物品間に接着結合を生成する方法であって、下記工程
−請求項19に記載の方法で接着剤を生成する工程
−前記結合すべき物品間に接着結合を形成するための1つ以上の結合場所に前記接着剤を塗布する工程
−前記接着剤を硬化させる工程
を含んでなる方法。
【請求項２１】
前記接着剤が、2分〜1時間の範囲のポットライフを有する、結合すべき物品間に接着結合を生成するための請求項20に記載の方法。
【請求項２２】
前記接着剤によって結合すべき物品が、前記結合場所に、セラミック材料の群より選択される1種以上の無機材料を含む、請求項20又は21に記載の方法。
【請求項２３】
前記接着剤によって結合すべき物品が、鋳型の一部である、結合すべき物品間に接着結合を生成するための請求項20〜22のいずれか1項に記載の方法。
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
Ｃｒ含有粒子を形成するＣｒ含有量９５質量％超のＣｒ豊富な領域を含有する塗装材料であって、Ｃｒ含有粒子の少なくとも一部が集塊又は凝集塊の形態で存在することを特徴とする塗装材料。
【請求項２】
Ｃｒ含有粒子を形成するＣｒ含有量９５質量％超のＣｒ豊富な領域を含有する塗装材料であって、Ｃｒ含有粒子の少なくとも一部が細孔を有することを特徴とする塗装材料。
【請求項３】
Ｃｒ含有粒子を形成するＣｒ含有量９５質量％超のＣｒ豊富な領域を含有する塗装材料であって、Ｃｒ豊富な領域が４ＧＰａ以下の平均ナノハードネスＨＩＴ    ０．００５／５／１／５を有することを特徴とする塗装材料。
【請求項４】
Ｃｒ含有粒子を形成するＣｒ含有量９５質量％超のＣｒ豊富な領域を含有する塗装材料であって、Ｃｒ含有粒子が、ＢＥＴ法で測定して、０．０５ｍ２／ｇを超える平均表面積を有することを特徴とする塗装材料。
【請求項５】
Ｃｒ豊富な領域が４ＧＰａ以下の平均ナノハードネスＨＩＴ  ０．００５／５／１／５を有することを特徴とする請求項１、２又は４に記載の塗装材料。
【請求項６】
Ｃｒ含有粒子の少なくとも一部が細孔を有することを特徴とする請求項１、３又は４に記載の塗装材料。
【請求項７】
Ｃｒ含有粒子の少なくとも一部が凝結塊又は凝集塊の形態で存在することを特徴とする請求項２、３又は４に記載の塗装材料。
【請求項８】
Ｃｒ含有粒子が、ＢＥＴ法で測定して、０．０５ｍ２／ｇを超える平均表面積を有することを特徴とする請求項１、２又は３に記載の塗装材料。
【請求項９】
粉末又は顆粒の形態で存在することを特徴とする請求項１〜８のいずれか１項に記載の塗装材料。
【請求項１０】
Ｃｒ含有粒子の少なくとも一部が、定量的画像解析法による測定で、１０体積％を超える平均空隙率を有することを特徴とする請求項１〜９のいずれか１項に記載の塗装材料。
【請求項１１】
Ｃｒ含有粒子の表面に、少なくとも一部の領域において、Ｃｒよりも低い降伏強度を有する材料が塗布されていることを特徴とする請求項１〜１０のいずれか１項に記載の塗装材料。
【請求項１２】
Ｃｒ含有粒子が、レーザー回折法で測定して、５μｍ＜ｄ５０＜１５０μｍを満たす平均粒径／顆粒径ｄ５０を有することを特徴とする請求項１〜１１のいずれか１項に記載の塗装材料。
【請求項１３】
硬質材料及び潤滑剤からなる群から選ばれる少なくとも１つの成分を含有することを特徴とする請求項１〜１２のいずれか１項に記載の塗装材料。
【請求項１４】
塗装材料が少なくとも１つの他の金属を含有するか粉末混合物の構成成分であることを特徴とする請求項１〜１３のいずれか１項に記載の塗装材料。
【請求項１５】
前記粉末混合物がＭＣｒＡｌＹ合金の組成を有することを特徴とする請求項１４に記載の塗装材料。
【請求項１６】
Ｃｒ含有量が５０質量％を超えることを特徴とする請求項１〜１４のいずれか１項に記載の塗装材料。
【請求項１７】
請求項１〜１６のいずれか１項に記載の塗装材料を用いる塗料の製造方法。
【請求項１８】
塗装材料の製造が、酸化クロム及び水酸化クロムからなる群から選ばれる少なくとも１つの化合物を、所望により固体炭素源を添加して、水素又は炭化水素の少なくとも一時的な作用下に、還元する工程を含む請求項１７に記載の方法。
【請求項１９】
塗料が熱スプレー法により製造されることを特徴とする請求項１７又は１８に記載の方法。
【請求項２０】
塗料がコールドガススプレー法により製造されることを特徴とする請求項１７〜１９のいずれか１項に記載の方法。
【請求項２１】
少なくとも下記の工程を含有することを特徴とする請求項２０に記載の方法：
・１０〜１００バールの圧力及び室温〜１，４００℃までの温度を有するプロセスガスを準備する工程；
・プロセスガスをコンヴァージェント−ダイヴァージェントノズル中で加速する工程；
・塗装材料を、コンヴァージェント−ダイヴァージェントノズルの上流で、中で又は下流で、プロセスガス中に注入する工程；
・塗装材料の衝撃時に、基材上に接着性の塗膜を形成する工程。
【請求項２２】
前記プロセスガスが窒素又は窒素豊富なガスであることを特徴とする請求項２１に記載の方法。
【請求項２３】
前記塗膜が高速フレーム溶射法により製造されることを特徴とする請求項１７〜１９のいずれか１項に記載の方法。
【請求項２４】
請求項２０〜２３のいずれか１項に記載の方法によって得られる、５０質量％を超えるＣｒ含有量、２０μｍを超える平均膜厚及び少なくとも部分的に変形されたＣｒ含有粗粒を含有する微細構造を有する塗膜。
【請求項２５】
変形されたＣｒ含有粗粒がコールド変形されたものであることを特徴とする請求項２４に記載の塗膜。
【請求項２６】
粗粒の少なくとも一部が層表面に平行な方向に伸張されていることを特徴とする請求項２４又は２５に記載の塗膜。
【請求項２７】
粗粒が１．３を超える平均アスペクト比を有することを特徴とする請求項２６に記載の塗膜。
【請求項２８】
変形されたＣｒ含有粗粒が４ＧＰａを超える平均ナノハードネスＨＩＴ  ０．００５／５／１／５を有することを特徴とする請求項２４〜２７のいずれか１項に記載の方法。
【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
ａ）コルチコステロイド；ｂ）脂肪族アルコール；ｃ）少なくとも１つの医薬的および／または皮膚科学的に許容な賦形剤；ならびにｄ）水を含む水性局所用組成物であり、ｅ）ここで前記組成物がプロピレングリコールを含まないか；または前記コルチコステロイドがベタメタゾン化合物であり、前記脂肪族アルコールがオレイルアルコールであり、ｉ）前記組成物が皮膚デポー組成物であるか；もしくはｉｉ）前記組成物におけるエノールアルデヒド不純物が、２５℃で少なくとも６ヶ月期間約１％よりも低いか；もしくはｉｉｉ）前記組成物が、皮膚層に適用量の約０.１％〜約２０％のベタメタゾン類の保持を提供する、水性局所用スプレー組成物。
【請求項２】
前記組成物が、どんなフィルム層も形成しない、請求項１に記載の組成物。
【請求項３】
前記脂肪族アルコールが、リノレイルアルコール、リノレニルアルコール、ベヘニルアルコール、セトステアリルアルコール、２−ヘプチル−１−ウンデカノール、１,１７−ヘプタデカンジオール、オレイルアルコール、エライジルアルコール、カプリルアルコール、ラウリルアルコール、ステアリルアルコールおよびそれらの混合物からなる群から任意に選択され；ここで前記脂肪族アルコールが、全組成物の約０.０１重量％〜約１５重量％の量で任意に存在する、請求項１に記載の組成物。
【請求項４】
前記コルチコステロイドが、ベタメタゾン化合物であり、ベタメタゾンベンゾエート、ベタメタゾンジプロピオネート、ベタメタゾンナトリウムホスフェート、ベタメタゾンバレレートおよびそれらの組み合わせからなる群から任意に選択され、前記ベタメタゾン化合物が、製品の約０.０２５重量％〜約０.１重量％に相当する量で任意に存在する、請求項１に記載の組成物。
【請求項５】
前記医薬的および／または皮膚科学的に許容な賦形剤が：
カチオン性界面活性剤、アニオン性界面活性剤、双極性イオン性界面活性剤および両性界面活性剤ならびにそれらの組み合わせからなる群から選択される乳化剤；
ポリオキシ２０ セトステアリルエーテルを含む乳化剤；または
カルボマー、ポリエチレングリコール、アクリレートポリマー、メタクリレートポリマー、ポリビニルピロリドン、ブチルメタクリレートおよびメチルメタクリレートに基づくコポリマー、ビニルアセテート、ポリビニルアセテート、セルロース、ガム、アルギネート、セルロースアセテートフタレート、セルロースアセテートブチレート、ヒドロキシプロピルメチルセルロースフタレートおよびそれらの組み合わせからなる群から選択されるポリマー
である、請求項１に記載の組成物。
【請求項６】
１以上の抗酸化剤、防腐剤、湿潤剤または可塑剤またはセトステアリルアルコールをさらに含む、請求項１に記載の組成物。
【請求項７】
前記組成物が、患者の皮膚に対して実質的に非刺激性であり；ここで前記組成物が、４０℃で少なくとも約６ヶ月の期間または２５℃で少なくとも約２４ヶ月の期間安定であり、ここで前記組成物が非発泡性で、かつ高圧ガスを含まない、請求項１に記載の組成物。
【請求項８】
前記ベタメタゾン化合物が、ベタメタゾンジプロピオネートである、請求項１に記載の組成物。
【請求項９】
前記組成物におけるエノールアルデヒド不純物が、２５℃で少なくとも１２ヶ月期間約１％よりも低く；前記組成物におけるエノールアルデヒド不純物が、２５℃で少なくとも１８ヶ月期間約１％よりも低く；前記組成物におけるエノールアルデヒド不純物が、２５℃で少なくとも２４ヶ月期間約１％よりも低く；または２〜８℃で貯蔵した場合に、少なくとも約１２ヶ月の期間前記組成物が、エノールアルデヒド不純物を実質的に含まない、請求項１に記載の組成物。
【請求項１０】
前記組成物が、皮膚層において適用量の約０.１％〜約１０％のベタメタゾン類の保持を提供するか；または前記組成物が、適用量の約１０％より低いベタメタゾン類の全身暴露を提供する、請求項１に記載の組成物。
【請求項１１】
前記組成物が、皮膚デポー組成物である、請求項１に記載の組成物。
【請求項１２】
前記組成物が、水性エマルジョンであるか、または水中油型エマルジョンである、請求項１に記載の組成物。
【請求項１３】
前記組成物が、約３５ｍｍ〜約６０ｍｍの第１軸、約３５ｍｍ〜約５５ｍｍの第２軸を有する、広い角度の完全な円錐状のスプレーパターンのスプレー特性を提供する装置で提供される、アトピー性皮膚炎、脂漏性皮膚炎、湿疹および乾癬の治療に有益な請求項１に記載の組成物。
【請求項１４】
前記装置が、約１〜約１.５である第１および第２軸の間の比率を提供するか、または作動当たりの組成物約６５ｍｇ〜約２１０ｍｇを送達する、請求項１３に記載の組成物。
【請求項１５】
前記スプレーパターンが、投与距離が患者の皮膚から装置まで約２０ｍｍ〜約６０ｍｍであり、かつスプレー角度が患者の皮膚に対して約５０〜７０度である場合に得られ、ここで、前記装置は、機械的に作動され得る取り付けられたスプレーポンプクロージャーを備えたボトルである、請求項１３に記載の組成物。
【請求項１６】
前記組成物が、密閉フィルムを形成せずに皮膚にデポーを形成し；ここで前記組成物が水性エマルジョンであるか；または前記組成物が約１０〜約１５,０００センチポアズの粘度を有する、請求項１３に記載の組成物。
【請求項１７】
前記組成物が：ａ）ベタメタゾン化合物；ｂ）オレイルアルコール；ｃ）少なくとも１つの医薬的および／または皮膚科学的に許容な賦形剤；ならびにｄ）水；を含む水性局所用組成物である、請求項１３に記載の組成物。
【請求項１８】
ａ）油性相を得るために乳化剤および水非混和性物質を含む混合物を加熱し；
ｂ）コルチコステロイドを浸透エンハンサーと混ぜ；
ｃ）ｂ）の材料をａ）の混合物と混ぜ;
ｄ）水相を形成するためにポリマーを水に溶解させ；
ｅ）エマルジョンを形成するためにｃ）の油性相をｄ）の水性相と混ぜる；
工程を含む、請求項１に記載の組成物の製造方法。
【請求項１９】
前記コルチコステロイドが任意にベタメタゾン化合物であり、前記ポリマーが任意にヒドロキシエチルセルロースであり、そして前記浸透エンハンサーが任意にオレイルアルコールである、請求項１８に記載の製造方法。
【請求項２０】
工程ａ）の前記加熱が任意に７０±２℃に至るまでであり；前記工程ｅ）が２４００ｒｐｍで１０分間のホモジナイズを任意に含む、請求項１８に記載の製造方法。
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
1つ又は複数の第１の接続素子（１４）を上面（Ｓ）に有する可撓性シート状マット（１０）と、
少なくとも１つの区画（３５）をそれぞれ含む１つ又は複数の袋体（２０）と、を備えるペット用玩具であって、
前記１つ又は複数の袋体（２０）はそれぞれ、前記１つ又は複数の袋体（２０）が前記マット（１０）の前記上面（Ｓ）に取り外し可能に接続及び再接続されるように、前記第１の接続素子（１４）に取り外し可能に接続及び再接続できるように構成された１つ又は複数の第２の接続素子（２８）を有し、
前記１つ又は複数の袋体（２０）の各々は、前記１つ又は複数の袋体（２０）が前記マット（１０）に接続されている間、前記区画（３５）にアクセスする又は開くことができるように操作可能に構成されており、
前記上面（Ｓ）に均等に分配されている複数の第１の接続素子（１４）を含み、該第１の接続素子（１４）は前記マット（１０）に対して複数の異なる位置において、前記袋体（２０）を前記マット（１０）の前記上面（Ｓ）に取り外し可能に接続及び再接続するように構成されていることを特徴とするペット用玩具。
【請求項２】
前記１つ又は複数の袋体（２０）は、開くことが可能に又は広げられるように構成されたアクセス（２１）を含み、ペット（１）が前記アクセス（２１）に鼻及び／又は足を入れて前記袋体（２０）を操作することにより前記区画（３５）にアクセスする又は開くことができるように構成されている請求項１に記載のペット用玩具。
【請求項３】
前記第１の接続素子（１４）及び前記第２の接続素子（２８）はそれぞれベルクロ（登録商標）式接続部の部品であり、所定の大きさの剥離力が加えられるまで前記マット（１０）及び前記１つ又は複数の袋体（２０）を共に保持することを特徴とする請求項１又は２に記載のペット用玩具。
【請求項４】
前記第１の接続素子（１４）及び前記第２の接続素子（２８）はそれぞれスナップファスナーの部品であり、所定の大きさの剥離力が加えられるまで前記マット（１０）及び前記１つ又は複数の袋体（２０）を共に保持することを特徴とする請求項１から請求項３のいずれか一項に記載のペット用玩具。
【請求項５】
前記１つ又は複数の袋体（２０）は少なくとも下層（２６）及び上層（２２）を備え、
前記下層（２６）はその底面に前記１つ又は複数の第２の接続素子（２８）を保持し、  前記１つ又は複数の袋体（２０）は、前記下層（２６）の方向を向いている前記上層（２２）の内面（２２ｂ）を解放可能に保持するための保持構造（４２，４２’）を有し、
前記操作は、ペット（１）が前記区画（３５）内に隠された物体を取り出す等のため前記区画（３５）にアクセスする又は開くことができるようにするために、前記保持構造（４２，４２’）を解放することを含むことを特徴とする請求項１から請求項４のいずれか一項に記載のペット用玩具。
【請求項６】
前記袋体（２０）は、前記１つ又は複数の袋体（２０）が前記マット（１０）に接続されている間、展開可能及び再度折り畳み可能に構成されており、
前記操作は、前記区画（３５）内に隠された物体を取り出す等のため前記区画（３５）にアクセスする又は開くために前記１つ又は複数の袋体（２０）を展開することを含むことを特徴とする請求項１から請求項５のいずれか一項に記載のペット用玩具。
【請求項７】
前記１つ又は複数の袋体（２０）は、折り畳まれた形態において、折り目に沿って中間層に接続される下層（２６）であって、該中間層は該下層（２６）の方向を向いている面（２４ｂ）を有する下層（２６）、及び上層（２２）を少なくとも有し、
前記下層（２６）はその底面に１つ又は複数の第２の接続素子（２８）を保持し、
前記１つ又は複数の袋体（２０）、前記下層（２６）とは逆の方向を向いている面（２４ｂ）を開放可能に保持するため、及び前記下層（２６）の方向を向いている前記上層（２２）の内面（２２ｂ）を開放可能に保持するための保持構造（２９，２９’，４２，４２’）を有し、
前記操作は、前記区画（３５）内に隠された物体を取り出す等のため前記区画（３５）にアクセスする又は開くために前記保持構造（４２，４２’）を解放することを含むことを特徴とする請求項１から請求項６のいずれか一項に記載のペット用玩具。
【請求項８】
前記アクセスを制限するためのベルクロ式等の保持構造（２９，２９’，４２，４２’）を含み、
前記操作は前記保持構造を解放することによりなされ、
前記保持構造（２９，２９’，４２，４２’）は、好ましくは前記１つ又は複数の袋体（２０）の端部（４２）に沿って延び、前記区画（３５）を部分的に画成するように構成されていることを特徴とする請求項１から請求項７のいずれか一項に記載のペット用玩具。
【請求項９】
前記１つ又は複数の袋体（２０）と前記マット（１０）間の接続を解除するのに必要な剥離力は、５〜２５Ｎの範囲であることを特徴とする請求項１から請求項８のいずれか一項に記載のペット用玩具。
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
第１のデバイスにおいて実施されるワイヤレス通信の方法であって、
マシンタイプ通信（ＭＴＣ）デバイスを発見するための発見プロセスに参加することと、ここにおいて、前記ＭＴＣデバイスは、第２のデバイスにアップリンクデータを直接に伝達することができない、
前記第１のデバイスが前記リレーとして働くことを確認するために構成メッセージを前記ＭＴＣデバイスへ送信することと、ここにおいて、前記第１のデバイスが前記リレーとして働くことを確認するために前記構成メッセージを前記ＭＴＣデバイスへ送信することは、前記第２のデバイスを介して前記構成メッセージを前記ＭＴＣデバイスへルーティングすることを備える、
前記発見されたＭＴＣデバイスから前記アップリンクデータを受信することと、
前記ＭＴＣデバイスからの前記アップリンクデータを前記第２のデバイスへ中継することと、ここにおいて、前記第２のデバイスは、前記ＭＴＣデバイスとダウンリンク上で直接に通信する、
を備える方法。
【請求項２】
前記ＭＴＣデバイスとの第１のピアツーピア接続を確立することと、
前記第２のデバイスとの第２の接続を確立することと
をさらに備える、請求項１に記載の方法。
【請求項３】
前記ＭＴＣデバイスとの前記発見プロセスに参加することは、前記第１のデバイスによって、リレーとして働くための利用可能性を示すためのピア発見信号をブロードキャストすることを備える、請求項１に記載の方法。
【請求項４】
前記ＭＴＣデバイスとの前記発見プロセスに参加することは、前記ＭＴＣデバイスからピア発見信号を受信することを備える、請求項１に記載の方法。
【請求項５】
メッセージを前記ＭＴＣデバイスへ送信することと、前記メッセージは、前記第１のデバイスがリレーとして働くために利用可能であることを示す、
前記リレーとして働くことを求める要求を前記ＭＴＣデバイスから受信することとをさらに備える、請求項４に記載の方法。
【請求項６】
前記メッセージを前記ＭＴＣデバイスへ送信することは、前記第２のデバイスを介して前記ＭＴＣデバイスへ前記メッセージをルーティングすることを備える、請求項５に記載の方法。
【請求項７】
第１のデバイスであって、
プロセッサと、
前記プロセッサと電子通信するメモリと、
前記メモリ内に記憶された命令と
を備え、前記命令は、
マシンタイプ通信（ＭＴＣ）デバイスを発見するための発見プロセスに参加し、ここにおいて、前記ＭＴＣデバイスは、第２のデバイスにアップリンクデータを直接に伝達することができない、
前記第１のデバイスが前記リレーとして働くことを確認するためにメッセージを前記ＭＴＣデバイスへ送信し、ここにおいて、前記第１のデバイスが前記リレーとして働くことを確認するためにメッセージを前記ＭＴＣデバイスへ送信することは、前記第２のデバイスを介して前記メッセージを前記ＭＴＣデバイスへルーティングすることを備える、
前記発見されたＭＴＣデバイスから前記アップリンクデータを受信し、
前記ＭＴＣデバイスからの前記アップリンクデータを前記第２のデバイスへ中継するように、前記プロセッサによって実行可能であり、ここにおいて、前記第２のデバイスは、前記ＭＴＣデバイスとダウンリンク上で直接に通信する、第１のデバイス。
【請求項８】
マシンタイプ通信（ＭＴＣ）デバイスによって実施されるワイヤレス通信の方法であって、ここにおいて、前記ＭＴＣデバイスは、第２のデバイスにアップリンクデータを直接に伝達することができず、
第１のデバイスとの発見プロセスに参加することと、
前記第１のデバイスが前記リレーとして働くことを確認するために構成メッセージを受信することと、ここにおいて、前記ＭＴＣデバイスは、前記第２のデバイスを通じたルーティングによって、前記構成メッセージを前記第１のデバイスから受信する、
第２のデバイスへ中継するためにアップリンクデータを前記第１のデバイスへ送信することと、
前記第２のデバイスから直接にダウンリンク通信を受信することと、
を備える方法。
【請求項９】
前記第１のデバイスとのピアツーピア接続を確立することをさらに備え、
前記第２のデバイスへ中継するためにデータを前記第１のデバイスへ送信することは、前記ピアツーピア接続によるものである、請求項８に記載の方法。
【請求項１０】
前記第１のデバイスとの前記発見プロセスに参加することは、前記第１のデバイスにリレーとして働くことを要求するためのピア発見信号をブロードキャストすることを備える、請求項８に記載の方法。
【請求項１１】
メッセージを前記第１のデバイスから受信することをさらに備え、前記メッセージは、前記第１のデバイスが前記リレーとして働くために利用可能であることを示す、請求項１０に記載の方法。
【請求項１２】
メッセージを前記第１のデバイスへ送信することをさらに備え、前記メッセージは、前記ＭＴＣが前記第１のデバイスを介して前記第２のデバイスへ中継すべきデータを有することを確認する、請求項１１に記載の方法。
【請求項１３】
プロセッサと、
前記プロセッサと電子通信するメモリと、
前記メモリ内に記憶された命令と
を備えるマシンタイプ通信（ＭＴＣ）デバイスであって、ここにおいて、前記ＭＴＣデバイスは、第２のデバイスにアップリンクデータを直接に伝達することができず、
前記命令は、
第１のデバイスとの発見プロセスに参加し、
前記第１のデバイスが前記リレーとして働くことを確認するために構成メッセージを受信し、ここにおいて、前記ＭＴＣデバイスは、前記第２のデバイスを通じたルーティングによって、前記構成メッセージを前記第１のデバイスから受信する、
第２のデバイスに中継するためにアップリンクデータを前記第１のデバイスへ送信し、
前記第２のデバイスから直接にダウンリンク通信を受信するように、
前記プロセッサによって実行可能である、ＭＴＣデバイス。
【請求項１４】
プロセッサによって実行されると、請求項１〜請求項６または請求項８〜請求項１２のうちのいずれか一項に記載の方法を実行する命令を備える、コンピュータ可読媒体。
【誤訳訂正書】
【提出日】平成29年10月10日(2017.10.10)
【誤訳訂正１】
【訂正対象書類名】特許請求の範囲
【訂正対象項目名】全文
【訂正方法】変更
【訂正の内容】
【特許請求の範囲】
【請求項１】
エピタキシャル構造の製造方法であって、
（ａ）基板の表面を洗浄またはエッチングして、単結晶性の材料を露出させる段階と、
（ｂ）印刷またはコーティングによって、前記単結晶性の材料に、（ポリ）シラン、（ポリ）ゲルマン、および（ポリ）ゲルマシランの少なくとも１つを含む液相インクを堆積させる段階と、
（ｃ）前記（ポリ）シラン、（ポリ）ゲルマン、および（ポリ）ゲルマシランの少なくとも１つで形成する膜または構造が、露出した前記単結晶性の材料の結晶構造を持ち、かつ、前記エピタキシャル構造を形成するために十分な温度および時間で、前記（ポリ）シラン、（ポリ）ゲルマン、および（ポリ）ゲルマシランの少なくとも１つを加熱する段階と
を備える製造方法。
【請求項２】
前記液相インクは、前記（ポリ）シランを有し、前記膜または構造は、摂氏６００度を超える温度まで加熱され、加熱時間はエピタキシャル層を形成するのに十分な時間である請求項１に記載の製造方法。
【請求項３】
前記（ポリ）シラン、（ポリ）ゲルマン、および（ポリ）ゲルマシランの少なくとも１つを、摂氏５０度から摂氏２００度の第１の温度で、１分と６０分との間の時間にわたって加熱する段階と、
前記（ポリ）シラン、（ポリ）ゲルマン、および（ポリ）ゲルマシランの少なくとも１つを、摂氏３００度から摂氏６００度の第２の温度で、１分と６０分との間の時間にわたって硬化させることによって、水素化されたアモルファス第４Ａ族半導体元素の膜または構造を形成する段階と
をさらに備える請求項１または２に記載の製造方法。
【請求項４】
前記基板の前記表面を洗浄またはエッチングする段階は、前記基板の前記表面をスパッタリングエッチングまたはプラズマエッチングする段階、または、液体エッチャントまたは蒸気エッチャントで前記基板をエッチングする段階を有する請求項１から３のいずれか一項に記載の製造方法。
【請求項５】
前記液相インクは、インクジェット印刷、グラビア印刷、フレキソ印刷、オフセットリソグラフィー、スクリーン印刷、スリットコーティング、スリットダイコーティング、スピンコーティング、押し出しコーティング、ペンコーティング、または、スプレーコーティングによって印刷またはコーティングされる請求項１から４のいずれか一項に記載の製造方法。
【請求項６】
前記液相インクを前記基板に堆積させるのと同時、および、前記液相インクを前記基板に堆積させた直後の少なくとも一方に、前記液相のインクに光効果照射線を照射する段階をさらに備える請求項１から５のいずれか一項に記載の製造方法。
【請求項７】
前記インクはさらに、ホウ素、リン、ヒ素、および、アンチモンから成る群から選択される１以上のドーパントを含む請求項１から６のいずれか一項に記載の製造方法。
【請求項８】
前記液相インクを、前記単結晶性の材料に所定パターンで印刷する請求項７に記載の製造方法。
【請求項９】
ドーパント濃度が前記液相インクよりも低い第２のインクを、前記基板のうち前記液相インクが印刷された領域以外の領域に堆積させる段階をさらに備える請求項８に記載の製造方法。
【請求項１０】
前記液相インクは、露出された前記単結晶性の材料に全面堆積させられ、
前記製造方法はさらに、
（ａ）前記膜に所定パターンでドーパントインクを印刷して、ドーパントを前記ドーパントインクから前記膜に拡散させる段階、または、
（ｂ）同じまたは異なる第４Ａ族元素の同じまたは異なる前駆体と、ドーパントとを含むドープインクを前記膜に所定パターンで印刷する段階、または、
（ｃ）パターニングマスクを前記膜に形成して、ドーパントを前記膜のうち前記パターニングマスクで被覆されていない領域に拡散または注入する段階
を備える請求項１から７のいずれか一項に記載の製造方法。
【請求項１１】
前記基板は、単結晶ウェハ、金属グレードウェハ、または、前記膜または構造と同じまたは異なる第４Ａ族半導体元素から実質的に構成される帯状部材を含む請求項１から１０のいずれか一項に記載の製造方法。
【請求項１２】
（ａ）被覆材料が無く単結晶性の材料が露出している表面を有する基板と、
（ｂ）前記単結晶性の材料上に直接設けられ、第４Ａ族半導体元素を含み、架橋されたオリゴマーおよび／またはポリマー水素化（ポリ）シラン、（ポリ）ゲルマン、および（ポリ）ゲルマシランの少なくとも１つを硬化させた膜または構造であって、（ｉ）露出している前記単結晶性の材料の結晶構造および（ｉｉ）第１のドープ領域を有する、膜または構造と、
（ｃ）前記膜または構造の前記第１のドープ領域上に設けられている１以上のコンタクトと
を備え、
前記１以上のコンタクトの下の前記第１のドープ領域は、前記１以上のコンタクトの下に位置しない第２のドープ領域よりも高いドーパント濃度を有する
エピタキシャル構造。
【請求項１３】
前記基板は、単結晶ウェハ、金属グレードウェハ、または、前記膜または構造と同じまたは異なる第４Ａ族半導体元素から実質的に構成される帯状部材を含む請求項１２に記載のエピタキシャル構造。
【請求項１４】
前記基板は、厚みが１００μｍ未満である露出した単結晶性の材料を含む請求項１２または１３に記載のエピタキシャル構造。
【請求項１５】
前記第４Ａ族半導体元素は、シリコンおよびゲルマニウムの少なくとも一方を含み、前記膜または構造は、ホウ素、リン、ヒ素、および、アンチモンから成る群から選択された１以上のドーパントを含む請求項１２から１４のいずれか一項に記載のエピタキシャル構造。
【請求項１６】
前記１以上のコンタクトは、Ｚｒ、Ｈｆ、Ｖ、Ｎｂ、Ｔａ、Ｃｒ、Ｍｏ、Ｗ、Ｍｎ、Ｒｅ、Ｆｅ、Ｒｕ、Ｏｓ、Ｃｏ、Ｒｈ、Ｉｒ、Ｎｉ、Ｐｄ、Ｐｔ、Ｃｕ、Ａｇ、Ａｕ、Ｚｎ、Ｃｄ、これらのシリサイド、およびこれらの組み合わせから成る群から選択される金属を含む
請求項１２から１５のいずれか一項に記載のエピタキシャル構造。
【請求項１７】
請求項１２から１６のいずれか一項に記載のエピタキシャル構造を備える太陽光発電デバイス、光センサ、画像センサ、発光デバイス、または、ＭＥＭＳデバイスあるいはＭＥＭＳ構造。